(57)【要約】【課題】従来、固定されていない電源コンセントに差し込まれたコンセントプラグを片手で抜き取ることは難しく、況して手が不自由な人には極めて困難なことである。この為の補助具も売られているが、価格も高価な上に欠点も多い。  そこで本願発明はこの課題を解決する為に成されたものである。【解決手段】レバー部に作用具を有する一対のアーム部を連設し、更にコの字型のスリットによって形成する係止具は電極挿入口を備えていて、前記レバー部との間で可動可能としている。そして電気機器のコンセントプラグの片方の電極を電極入口に挿入すると装着完了し、レバー部を押圧すると作用具が電源コンセントを押して、電極から電源コンセントが離れる。【選択図】図１
2012186129.tif 000002
【特許請求の範囲】
【請求項１】
電源コンセントに差し込まれたコンセントプラグを片手で抜き取る為に、コンセントプラグに補助具を装着したままで、コンセントプラグを電源コンセントに挿入する補助具において、レバー部に作用具を有するアーム部と電極挿入口を有する係止具を備えたことを特長としたコンセントプラグの補助具。
【請求項２】
レバー部に脱落防止具を備えた、特許請求の範囲第１項記載のコンセントプラグの補助具。
【請求項３】
係止具に脱落防止具を備えた、特許請求の範囲第１項記載のコンセントプラグの補助具。
【発明の詳細な説明】
【技術分野】
【０００１】  この発明は、一般の電気機器を使用するとき、その電気機器のコンセントプラグに取り付けることによって、電源側のコンセントが延長コードのように固定されていない不安定な状態にあっても、コンセントプラグを片手で且つ容易に抜き取ることができるコンセントプラグの補助具に関する。
【背景技術】
【０００２】  従来、住宅等の壁面に備えられている電源コンセントに、電気機器側のコンセントプラグを差し込んで使用するとき、コンセントプラグを差し込む動作や引き抜く動作は、通常片手で難なく行うことができる。しかし電源コンセントに二俣用の器具を付けて、この器具にコンセントプラグを差し込んで電気機器を使用した場合に、この二俣用の器具からコンセントプラグを引き抜こうとするとき、コンセントプラグのみを抜くつもりでも、二俣用の器具がコンセントプラグに付いたまま一緒に抜けて、同じ電源を使用している他の電気機器への通電を遮断してしまう事は稀なことではない。従って二俣用の器具使用しているときは、この二俣用の器具を片方の手で押さえながらコンセントプラグを引き抜くので必ず両手での動作になる。更に延長コードのように電源側のコンセントが固定されていない場合には、例え床面や壁面を利用して片手でコンセントプラグを差し込めたとしても、このコンセントプラグを片手で引き抜くことは出来ない。そこでこの課題を解決に導こうとする技術も数多く出願されているが、殆どの技術が実用性を欠くものであり、稀に商品化された技術も見られるが、これはアダプター形式によるもので、電源コンセントとコンセントプラグとの間に独立して介在させていて、その構造はコンセントプラグを抜き取るためのレバーの他に、雄雌両方の電極も組み込まれた複雑なもので、価格もそれなりに高価であり大きさも大きい。
従って、必要最小限の構成として小さく、且つコンセントプラグに装着して上記の課題を解決するものは無かった。
【先行技術文献】
【特許文献】
【０００３】
【特許文献１】  意匠登録  １３０５７３２
【特許文献２】  特許公開  ２００４−３１２９８
【特許文献３】  特許公開  ２０００ー４８９０７
【発明の概要】
【０００４】  本願発明に係わるコンセントプラグの補助具は、電源コンセントに差し込まれたコンセントプラグ本体を片手で且つ容易に抜き取れることを目的として成されたもので、レバー部１に一対のアーム部２ａ・２ｂを連設し、更にアーム部２ａ・２ｂの間に作用具３を連設して、この作用具３と前記アーム部２ａ・２ｂの間に設けたコの字型のスリット７とヒンジ部８によって係止具５を形成し、更にこの係止具５には、本願コンセントプラグの補助具１３をコンセントプラグ本体３１に装着する際、二本の電極のうち何れか一方の電極を挿入する為の挿入口６を形成し、また前記一対のアーム部２ａとアーム部２ｂの間に連設した作用具３には、二本の電極のうち残りの片方の電極を回避する形状に凹部４を形成している。そしてこの作用部３と前記係止具５は、所要の強度が得られる範囲内に於て最小限の厚さとするものである。
【発明が解決しようとする課題】
【０００５】  文献１の電源プラグアダプターによると、アダプター本体の両側にテコの原理を利用したレバーと、このレバーに連設する押圧部が左右対称に軸着され、更にアダプター本体には電源コンセントに差し込むための雄電極と、この雄電極の後ろに雌電極を設けて電源プラグアダプターとしている。【０００６】  文献２の差し込みプラグカバーによると、プラグカバー本体の中にコンセントプラグを入れて使用するもので、本体部分の端部に電極挿入用の孔と、この孔の対象側に指を掛けて引くためのリングを形成して差し込みプラグカバーとしている。【０００７】  文献３のプラグ外し具によると、塵取り型のプラグ外し具本体の中央に差し込みプラグの電極挿入用の孔を設け、また本体の外側に指を掛けるための小さなリングを形成してプラグ外し具としている。【０００８】  上記文献によると、先ず文献１の使用方法は、コンセントプラグを直接電源コンセントに差し込むのではなく、先にコンセントプラグを電源プラグアダプターに差し込んでからこの電源プラグアダプターを電源コンセントに差し込む二段構造としている。そしてコンセントプラグを抜き取るときは、左右対称に設けているレバーを押圧すると、これに連設する部材がテコの原理によって作動し、電源コンセントを電極の抜け方向に押すことによって、電源プラグアダプター本体を抜き取れるものとしている。
この文献によると電源プラグアダプター本体の構成が極めて複雑であり、コンセントプラグ自体よりも大きく、価格もコンセントプラグの価格に対して不釣り合いな程の高価になってしまう事が明らかであり、この意匠の電源プラグアダプターが現時点において利用されていない理由の一つと考えられる。  またこの意匠の電源プラグアダプターを実際に使用するときを考えると、一般家屋内の他にも庭や工場等で延長コードを介して使用する場合が究めて多いので、このような状況で電気機器を手に持ったまま移動すると、電源プラグアダプターのレバーが障害物に引っ掛かかってコンセントプラグが抜けてしまう事は言うまでもなく、電源プラグアダプター自体を破損する事もあり得る。
上記のように、この電源プラグアダプターは様々な課題がある。【０００９】  次に文献２によると、差し込みプラグカバーの本体全てが一体に構成されていて、その使用方法は、差し込みプラグカバーの中に差し込みプラグを入れて電極のみを開口部から突出させ、そのまま差し込みプラグを電源コンセントに差し込むものとしている。
そして差し込みプラグを抜き取るときは、電極の対象側に形成したリングに指を掛けて引けばよい。この差し込みプラグカバーは文献１に比べると、構成が簡略化されていて安価に制造できそうであるが、延長コード等のように電源コンセント自体が固定されていない状態では、差し込みプラグを片手で抜き取ることは出来ない根本的な課題がある。【００１０】  次に文献３によると、プラグ外し具の全てが文献２と同じく一体に構成されていて、その使用方法は、先ずプラグを電源コンセントに差し込むときは、プラグ外し具にプラグの電極を挿入してそのまま差しこめば良く、プラグを抜き取るときは、プラグ外し具に形成したリングに指を掛けて手前に引くと、テコの原理によってプラグが抜き取れるものとしている。
しかしこの構成もテコの原理を利用した部分は文献２と異なっているが、延長コード等のように電源コンセント自体が不安定な状態のときは、プラグを片手で抜き取ることはできない。また、この構成によるとプラグを抜き取ったあとに、プラグ外し具がプラグから脱落してしまう可能性が高い等の課題がある。
以上、上記文献の他に同類の出願は数多く成されていて、コンセントプラグを抜き取る為にテコの原理を利用した構成をコンセントプラグ本体に組み込んでいる出願が多く、これらの出願はプラグ自体も大きく、また部品の点数も多くなるので、製造単価が上がり売値が高価になってしまう課題があり、またコンセントプラグに装着する構成のもでも、不安定な電源コンセントから片手で抜き取れない他、価格においても課題がある。
【課題を解決するための手段】
【００１１】  この発明は上記の課題を解決するために次のような構成としている、レバー部１に作用具３を有するアーム部２ａ・２ｂと電極挿入口６を有する係止具５を備えたことを特長としたコンセントプラグの補助具である。
【発明の作用】
【００１２】  この発明の構成と作用を実施例１の図面に基づいて詳細に説明する。
先ず構成について、図１はこの発明の基本的構成の斜視図であって、構成の全てが厚さに応じて硬軟を有する樹脂素材によるもので、レバー部１の両側にアーム部２ａ・２ｂを連設し、更にアーム部２ａ・２ｂの下部に、電極凹部４を有する作用具３を、前記アーム部２ａ・２ｂの間隔を保つ目的をも兼ねて形成している。そしてアーム部２ａ・２ｂの先端も作用具３と同じ働きをするものとしている。
また図２に示すように、アーム部２ａから作用具３そしてアーム部２ｂに掛けて設けたコの字型のスリット７と、前記レバー部１の下端部に設けたヒンジ部８によって四角形の係止具５を形成し、この係止具５のほぼ中央に電極３２ａを挿入する四角形の電極挿入口６を設けている。そして前記レバー部１とアーム部２ａ・２ｂの肉厚はレバー部１を指先で押圧しても変形を阻止出来るものとし、また作用部３と係止具５の肉厚は所要の強度が確保できる範囲内で出来る限り薄い方が良い。
更に、前記作用具３と係止具５の位置的関係は、前記作用具３に形成する電極凹部４からスリット７を介して前記係止具５に形成した電極挿入口６までの距離を、コンセントプラグ本体３１の電極３２ａと電極３２ｂの内法に等しいものとする。
更に、前記レバー部１の上部に湾曲自在の肉薄部１２を設け、この肉薄部１２の上端に脱落防止具９を連設している。そしてこの脱落防止具９は中央に電気コードを挿通する為の孔部１０と、この孔部１０から外に通じて孔部１０を開放する切部１１を設けて、コンセントプラグの補助具１３としている。
以下構成の説明において厚さが薄い部分を肉薄部と称する。
【００１３】  次にこの発明の作用について図３・図４に基づいて説明する。
先ず図３に示すように、本発明のコンセントプラグの補助具１３をコンセントプラグ本体３１に装着するには、凹部４に電極３２ｂを位置させて挿入口６に電極３２ａを電極の根元まで挿入した状態にしておいて、肉薄部１２を湾曲させて脱落防止具９に設けた切り込み１１を開いて電気コード３３を孔部１０の中に入れると装着を完了する。
次に電気機器を使用するときは、コンセントプラグ本体３１にコンセントプラグの補助具１３を装着したまま電源コンセント３４に差し込めば良い。この電源コンセントは壁面に固定された電源コンセントは元より、この電源コンセントに差し込まれた二俣器具や延長コード端部のコンセント等種類を選ばない。
そして図３に示すように、電源コンセント３４に差し込まれているコンセントプラグ本体３１を引き抜くときは、図４に示すようにコンセントプラグの補助具１３のレバー部１とコンセントプラグ本体３１とを指先で摘むと、押圧されたレバー部１はヒンジ部８を支点にして可動角度の範囲内でコンセントプラグ３１の側に動き、アーム部２ａ・２ｂもテコの原理によって同じ角度分動く、この作用によってアーム部２ａ・２ｂとこれに設けた作用部３に電源コンセント３４に抜け方向への力が働き、コンセントプラグ本体３１と電源コンセント３４の間隔を広げるので、電極３２ａ・３２ｂは電源コンセント３４から抜ける。
【発明の効果】
【００１４】  本願発明のコンセントプラグの補助具は上記の構成と作用によって、次に述べる効果がある。
１．本願コンセントプラグの補助具をコンセントプラグ本体に装着しておくと、如何なる状態の電源コンセントに差し込んだ場合でも、指先で摘むことによって片手で容易にコンセントプラグを抜き取ることができる。つまりコンセントプラグ本体を抜き取る方法が、電源コンセントを押し出すことによって電極が抜けるので、二俣器具を使用していても、二俣器具を電源コンセントに押付ける状態となって、コンセントプラグ本体のみを抜き取ることができる。特に延長コード等を使用しているときのように、その電源コンセント自体が極めて不安定な状態の場合や、片方の手に電気機器を持ったままの状態でも、片手で容易にコンセントプラグ本体を抜き取ることができる。
【００１５】２．本願コンセントプラグの補助具は、合成樹脂のヒンジ加工によって全構成を一体に制作できるので、極めて安価にて提供できるものである。
【００１６】３．本願コンセントプラグの補助具は、合成樹脂によるヒンジ加工の代わりに軸着としてレバー部・アーム部・作用部と係止具を別体に制作すると、二色による構成が可能で見た目にも優美に仕上げることができる。
【図面の簡単な説明】
【００１７】
【図１】本願発明の実施例１の斜視図
【図２】図１のＡ−Ａ矢視図
【図３】本願発明の使用状態を示す正面図
【図４】図３の作用を示す正面図
【図５】本願発明の実施例２の側面図
【図６】図５のＢ−Ｂ矢視図
【図７】本願発明の実施例３の正面図
【図８】図７のＣ−Ｃ矢視のコンセントプラグを省略した側面図
【図９】本願発明の実施例４の正面図。
【図１０】図９のＤ−Ｄ矢視のコンセントプラグを省略した側面図
【図１１】本願発明の実施例５の断面図。
【図１２】本願発明の実施例６の正面図。
【図１３】図１２のＥ−Ｅ矢視図
【符号の説明】
【００１８】１：レバー部      ２ａ：アーム部      ２ｂ：アーム部      ２ｃ：アーム部
３：作用具        ４：凹部            ５：係止具          ６：挿入口
７：スリット      ８：ヒンジ部        ９：落脱防止具      １０：孔部
１１：切部        １２：肉薄部        １３：コンセントプラグの補助具
２１：帯型脱落防止具          ２２：凸型留め具        ２３：凹型留め具
２４：脱落防止具              ２５：レバー凹部        ２６：板状脱落防止具
２７：粘着テープ              ２８：軸着部            ２９：脱落防止具
３１：コンセントプラグ本体    ３２ａ・３２ｂ：電極    ３３：電気コード
３４：電源コンセント
【発明を実施するための形態】
【実施例２】
【００１９】  本願発明の実施例２を図５・図６によって説明する。
この実施例の脱落防止具以外は実施例１と全く同じ構成としている。
先ず図５は、コンセントプラグ本体３１に本願コンセントプラグの補助具１３を装着した側面図であって、レバー部１の上部に形成した肉薄部１２の上端に肉薄の帯型脱落防止具２１を連接していて、この帯型脱落防止具２１は一端側に凸型留め具２２を形成し、他端側には凹型留め具２３を形成している。
この実施例の使用方法は、コンセントプラグの補助具をコンセントプラグ本体に装着したとき、図６に示すように、前記帯型脱落防止具２１を電気コード３３に巻き付けて、凸型留め具２２と凹型留め具２３を嵌合して繋ぎ止めることによって、コンセントプラグの補助具１３のコンセントプラグ本体３１からの脱落を防止することができる。【００２０】  次に本願発明の実施例３を図７・図８によって説明する。
先ず図７に示すように、レバー部１の上部を装着するコンセントプラグ本体３１の側に湾曲させてその先端をコンセントプラグ本体３１の近くまで延ばしている。また図８に示すように係止具５はアーム部２ａ・２ｂの側にバネ効果を有する脱落防止具２４・２４を、前記アーム部２ａ・２ｂと平行且つ向かい合わせに形成している。
この構成によると、コンセントプラグの補助具１３をコンセントプラグ本体３１に装着した際、脱落防止具２４・２４のバネ効果によって、コンセントプラグ本体３１を挟み掴めるので、コンセントプラグの補助具１３のコンセントプラグ本体３１からの脱落を防止できる。また、図８に示すように、前記レバー部１の上部に形成する湾曲部を二俣にしてレバー凹部２５を形成し、このレバー凹部２５は、レバー部１を押圧したときにレバー部１の先端がコンセントプラグ本体３１に突き当たるのを防止することと共に、電気機器を手に持ったまま移動して床に電気コードを引きずっても、レバー部１に形成する湾曲部によって、コンセントプラグの補助具１３が障害物等に引っ掛かるのを防止できる。【００２１】  次に、本願発明の実施例４を図９・図１０によって説明する。
先ず、この実施例もレバー部１の上部にレバー凹部２５を設けている点は実施例３と同じ構成としていて、実施例３と異なる点は、係止具５のアーム部２ａ・２ｂの側に極めて肉薄の板状脱落防止具２６を形成していて、この板状脱落防止具２６の内側には粘着テープ２７を設けている。この構成によると、コンセントプラグの補助具１３をコンセントプラグ本体３１に装着したときに、コンセントプラグ本体３１の内側に設けている粘着テープ２７を圧着することによって、コンセントプラグの補助具１３のコンセントプラグ本体３１からの脱落を防止できる。【００２２】  次に、本願発明の実施例５を図１１によって説明する。
前記実施例１ではレバー部１と係止具５を合成樹脂のヒンジ加工によって一体に構成しているが、この実施例は実施例１のヒンジ部８を軸着部２８としたもので、この構成によるとレバー部１と係止具５を別体に制作するので、係止具５に形成する脱落防止具がより複雑な構成になっても自在に対応できる他、二色の構成が可能となる。【００２３】  次に、本願発明の実施例６を図１２・図１３によって説明する。
先ず、図１２に示すように、この実施例は前記実施例１を向き合わせに構成していて、左右一対のレバー部１・１の上部にそれぞれ肉薄部１２・１２を連接し、この肉薄部１２・１２の端部に、切部１１を有する脱落防止具２９を形成することによって左右の構成を一体化している。
次に前記実施例１と同じく、レバー部１に電極挿入口６を有する係止具５を形成しているが、レバー部１の片側にアーム部２ａと、逆側に極めて短いアーム部２ｃを連設していて、この構成のまま互いに組み合わせている。このアーム部２ａと２ｃの長さを変えている理由は、逆にアーム部の長さを同じに揃える為には、アーム部の長さを短くしなければならない。しかし電極を抜き取る方法が、テコの作用で電源コンセントを押すようにして抜き取るので、その押す長さが短くなって、電極３２ａ・３２ｂが電源コンセントから抜けきらないからである。
【図１】
2012186129.tif 000003
【図２】
2012186129.tif 000004
【図３】
2012186129.tif 000005
【図４】
2012186129.tif 000006
【図５】
2012186129.tif 000007
【図６】
2012186129.tif 000008
【図７】
2012186129.tif 000009
【図８】
2012186129.tif 000010
【図９】
2012186129.tif 000011
【図１０】
2012186129.tif 000012
【図１１】
2012186129.tif 000013
【図１２】
2012186129.tif 000014
【図１３】
2012186129.tif 000015